(57)【要約】【課題】  従来のインクジェット記録装置において、英数字、記号については所望の文字を入力することができるが、制御文字については入力手段が存在しない。  本発明においては制御文字においても１回のキー入力で所望の文字を入力できることを目的とする。【解決手段】  被印字物に印字内容を印字するインクを噴出するノズルが備わるインクジェット記録装置において、前記インクジェット記録装置は印字内容を入力するための入力機能を有し、前記入力機能は入力装置としてキーボードを有し、前記キーボードにおいて制御文字を独立した１つのキーに割り当てることにより簡易な入力ができる。【選択図】  図１
2005199432.tif 000002
【特許請求の範囲】
【請求項１】
被印字物に印字内容を印字するインクを噴出するノズルが備わるインクジェット記録装置において、前記インクジェット記録装置は印字内容を入力するための入力機能を有し、前記入力機能は入力装置としてキーボードを有し、前記キーボードにおいて制御文字を独立した１つのキーに割り当てることにより簡易な入力ができること特徴とするインクジェット記録装置。
【発明の詳細な説明】
【技術分野】
【０００１】
本発明は、生産ラインで搬送される製品（被印字物）にノズルより噴出するインクで、文字、数字、記号、図形、バーコード等を印字するインクジェット記録装置に関する。
【背景技術】
【０００２】
従来のインクジェット記録装置において、英数字、記号については所望の文字を入力することができるが、制御文字については入力手段が存在しない。
【０００３】
【特許文献１】特開平８−１８７９１６号公報
【発明の開示】
【発明が解決しようとする課題】
【０００４】
日本工業規格で定められているバーコードシンボルの１つであるCODE128でキャラクタのうち英数字、記号においては１回のキー入力で所望の文字を入力することができるが、制御文字においては入力手段が存在しない。制御文字を英数字の文字列であると解釈し、そのまま入力するという方法も考えられるが、複数回のキー操作を必要とし、英数字、記号入力に比べオペレータの負担が大きい。
【０００５】
本発明においては制御文字においても１回のキー入力で所望の文字を入力できることを目的とする。
【課題を解決するための手段】
【０００６】
本発明は、被印字物に印字内容を印字するインクを噴出するノズルが備わるインクジェット記録装置において、前記インクジェット記録装置は印字内容を入力するための入力機能を有し、前記入力機能は入力装置としてキーボードを有し、前記キーボードにおいて制御文字を独立した１つのキーに割り当てることにより簡易な入力ができること特徴とするインクジェット記録装置にある。
【発明の効果】
【０００７】
本発明によれば、制御文字においても１回のキー入力で所望の文字を入力することができる
【発明を実施するための最良の形態】
【０００８】
以下、本発明の実施形態を示す図面に沿って本発明を詳しく説明する。
【０００９】
図１は、本発明の実施形態に係るインクジェット記録装置の全体ブロック図、図２は、本発明の実施形態に係るインクジェット記録装置の主要部を概略的に示す図である。
【００１０】
まず、インクジェット記録装置の主要部に係る説明からする。ノズル１にてインクを粒子化するための励振電圧を印加することにより、図２に示すように、ノズル１はインク粒子を噴出する。噴出されたインク粒子は、飛行して搬送ラインのベルト２に載って流れる被印字物３に印字される。ノズル１よりインク粒子を噴出するタイミングは印字物検出センサー４および印字物検知部５により制御される。インク粒子が帯電電極６はノズル１の直ぐ先に備えられ、ノズル１から噴出したインク粒子に電荷を帯びさせる。帯電電極６に印加される電圧は文字信号発生部７によって印字内容に応じて調整される。電荷を帯びたインク粒子は帯電電極６の直ぐ先に備えられる偏向電極８でインク粒子毎に飛行方向が偏向されるので、被印字物３にインク粒子の文字ないし記号等が印字されるのである。
【００１１】
ノズル１にはインク容器９内のインクがインク供給管１０を通じて供給ポンプ２０により送られるのである。ノズル１から噴出されたインク粒子で印字に使われないものは、ガター２１に受けられ、回収管２２を通じて回収ポンプ２３によりインク容器９に戻されるのである。
【００１２】
図１に示すように、印字物検知部５、文字信号発生部７、入力部４０、表示部５０、印字内容反映部６０は制御部３０に接続される。入力部４０においてオペレータの所望する印字内容を入力し、制御部３０にて一時保持する。また、入力内容の確認のため、表示部５０にて入力内容を表示する。印字内容を印字内容反映部６０によりインク粒子毎のデータに変換、印字内容記憶部６１に保持する。印字内容記憶部６１は文字信号発生部７と接続している。
【００１３】
印字物検知部５から被印字物３の到来の信号が制御部３０に入ると、制御部３０は文字信号発生部７に対して印字を指示する。文字信号発生部７は印字内容記憶部６１の印字データに基づいて帯電電極６の印加電圧を加減する。こうして上記の如くインク粒子が飛行、偏向し印字が行われるのである。
【００１４】
また、インクジェット記録装置の制御部３０のうち、ＲＯＭ３２はインクジェット記録装置の制御を行う制御プログラムを格納する。ＣＰＵ３１は制御プログラムを実行し、インクジェット記録装置の各種機器の動作を制御する。ＲＡＭ３３は制御プログラム実行時、一時的に使用するデータを保持する。ＥＥＰＲＯＭ３４は不揮発性の記録媒体であり、文字、記号等の印字パターンを記録する。
【００１５】
次ぎに、本実施形態における入力について説明する。本実施形態においては表示部５０にてキーボードを表示し、表示部５０に指、あるいは表示部５０を叩く専用の器具を用いて入力部４０にて所望する文字に触れて入力する、所謂タッチスクリーンを用いている。図３は表示部５０の一表示例である。英数キーボード５１を表示し、オペレータが触れた文字「１」を入力文字表示部５２に表示している。このように一般的にはオペレータが所望する文字と、その文字を入力するキーは１対１になっている。本発明は、バーコードシンボルの規格の一種である、CODE128においても同等の入力方法を提供することを目的とする。
【００１６】
CODE128は日本工業規格にて定められているバーコードシンボルである。バーコードに割り当てられている数値と、その数値の持つ意味を示す表の抜粋を、図４に示す。オペレータが印字内容として指定できるのは表に記されている０から１０５までの１０６種類である。１つの数値に対して、キャラクタとしての解釈が３通りあり、どのコードセットを用いるかはバーコードシンボルの印字時にオペレータが任意に決定できる。
【００１７】
このバーコードシンボル印字時の入力方法であるが、バーコードシンボルの印字として必要な情報は数値であり、コードセットのキャラクタではない。したがって数値そのものをオペレータが入力するという方法がある。しかし、その場合オペレータ自身がコードセットから目的の数値を調べるという作業が発生する。例えば、コードセット“Ｂ”のａを印字するためにはコードセットの表を参照し６５という数値を探し出す必要があり、手間がかかる。あるいは、キャラクタを英数キーボード５１を使い入力するという方法もあるが、例えばコードセット“Ａ”の制御文字NULを入力するためにはN、U、Lと３回キーを触れなければならず、キャラクタとキー入力とが１対１とならない。
【００１８】
これらの問題を解決すべく、本発明においては図５の如く、コードセットのキャラクタをそのまま表示、入力できるキーボードを提供する。図５はコードセット“Ａ”キーボードの１面目である。本実施例では一画面に全てのキャラクタを表示できないため複数面に分割して表示を行っている。入力したキャラクタは制御部３０にて変換、数値として入力文字表示部５２に表される。次ぎに図６はコードセット“Ａ”キーボードの２面目であるが、このキーボード５４では、NULあるいはSOH等制御文字を含んでいる。このように制御文字をそのまま１つのキーとして表示することにより、キャラクタとキー入力とを１対１で行うことが可能となる。図７はコードセット“Ａ”３面のキーボードのみを表示したものである。コードセット“Ａ”１面目キーボード５３にて「切替え」キーを触れることでコードセット“Ａ”２面目キーボード５４、また「切替え」キーに触れることでコードセット“Ａ”３面目キーボード５５、さらに「切替え」キーに触れることでコードセット“Ａ”１面目キーボード５３の表示に戻る。これらのように制御することでコードセット“Ａ”全てのキャラクタを１回の入力で行うことが可能となる。また、本実施例ではコードセット“Ａ”を取り上げたが、コードセット“Ｂ”、コードセット“Ｃ”もコードセット“Ａ”同様に全てのキャラクタを１つのキーに表示することでキャラクタとキー入力が１対１となる。以上のようにキーボードに制御文字を独立した１つのキーを割り当てることにより、インクジェット記録装置にてCODE128を印字しようとするオペレータに対し、簡易な入力を提供することが可能となる。
【００１９】
なお、上記の実施形態ではコンティニュアス方式のインクジェット記録装置につき説明したが、ドロップ・オンデマンド方式のインクジェット記録装置でも同様に可能である。
【図面の簡単な説明】
【００２０】
【図１】本発明の一実施形態に係るインクジェット記録装置の全体ブロック図である。
【図２】本発明の一実施形態に係るインクジェット記録装置の主要部を示す概略図である。
【図３】本発明の一実施形態に係るインクジェット記録装置の表示部の一表示例である。
【図４】日本工業規格にて定められているCODE128のキャラクタ構成表の抜粋である。
【図５】本発明の一実施形態に係るインクジェット記録装置の表示部の一表示例である。
【図６】本発明の一実施形態に係るインクジェット記録装置の表示部の一表示例である。
【図７】本発明の一実施形態に係るインクジェット記録装置の表示部おけるコードセット“Ａ”キーボード表示の遷移を示す図である。
【符号の説明】
【００２１】
１…ノズル、２…ベルト、３…被印字物、５…印字物検知部、６…帯電電極、７…文字信号発生部、８…偏向電極、９…インク容器、１０…インク供給管、２０…供給ポンプ、２１…ガター、２２…回収管、２３…回収ポンプ、３０…制御部、３１…ＣＰＵ、３２…ＲＯＭ、３３…ＲＡＭ、３４…ＥＥＰＲＯＭ、４０…入力部、５０…表示部、５１…英数キーボード、５２…入力文字表示部、５３…コードセット“Ａ”キーボード１面目、５４…コードセット“Ａ”キーボード２面目、５５…コードセット“Ａ”キーボード３面目、６０…印字内容反映部、６１…印字内容記憶部、７０…通信部、１００…外部装置。
【図１】
2005199432.tif 000003
【図２】
2005199432.tif 000004
【図３】
2005199432.tif 000005
【図４】
2005199432.tif 000006
【図５】
2005199432.tif 000007
【図６】
2005199432.tif 000008
【図７】
2005199432.tif 000009